(57)【要約】【課題】簡易な構成で、かつ、容易にボビンを固定することができる、ボビン固定装置を提供する。【解決手段】回転軸２３の外側へ突出していた押さえ片３５は、傾斜部分がボビン１０に押されて内側位置Ｐ２へ移動し、ボビン１０は位置決め用部材２５の配置された位置まで挿入される。ボビン１０が位置決め用部材２５に当接されると、バネ部材３３により解除ボタン３２と共に支持部材３４Ｂが上側へ移動し、アーム３４Ａの支持部材３４Ｂ側が上側へ移動すると共に、押さえ片３５側が外側へ向かって移動し、規制面３５Ｃがボビン１０に当接される位置まで外側に突出される。このとき、押さえ面３５Ｂは、ボビン１０の上面に当接され、ボビン１０が回転軸２３から抜け出す方向（Ｙ方向）の移動が規制される。【選択図】図１
2007112533.tif 000002
【特許請求の範囲】
【請求項１】
ボビンが挿入される回転軸と、
前記挿入されたボビンの挿入先端側に当接し前記ボビンの挿入方向の位置決めをする位置決め部材と、
前記回転軸の外周面よりも外側へ突出した突出位置と、前記外周面よりも内側の内側位置と、の間を移動可能とされ、前記突出位置において前記ボビンの挿入後端側に当接されて前記ボビンの前記回転軸から抜け出す方向への移動を規制する可動部材と、
を備えたボビン固定装置。
【請求項２】
前記回転軸の端部に取り付けられ、前記回転軸の軸方向に移動可能とされた解除部材と、
前記可動部材と前記解除部材とを連結し、前記解除部材の前記軸方向の移動に連動させて前記可動部材を前記突出位置と前記内側位置との間で移動させる連結部材と、
を備えた請求項１に記載のボビン固定装置。
【請求項３】
前記可動部材は、前記位置決め部材側へ向かって前記外周面からより多く突出されるように傾斜がつけられていること、を特徴とする請求項１または請求項２に記載のボビン固定装置。
【請求項４】
前記解除部材を前記回転軸から離れる方向に付勢すると共に前記可動部材を前記突出位置へ向かって付勢する付勢部材と、
前記解除部材の前記回転軸から離れる方向への移動を規制する解除規制部材と、
前記可動部材の前記突出位置よりも外側への移動を規制する突出規制部材と、
を備えた請求項１乃至請求項３のいずれか１項に記載のボビン固定装置。
【発明の詳細な説明】
【技術分野】
【０００１】
本発明は、巻線機や撚線機等に使用されるボビンを回転可能に保持するためのボビン固定装置に関するものである。
【背景技術】
【０００２】
従来、巻線機や撚線機等に線材を供給する際には、線材が巻かれたボビンを回転させながら上記線材を引き出すようにするため、上記ボビンを回転可能に保持するボビン固定装置が用いられている。ボビンの固定方法としては、エアや電力等の動力を使用する方法と、スロットレバー方式、ねじ込み方式、セットピン方式などの人手による機械的な固定方法とがある。
【０００３】
上記のうち、エアや電力等の動力を使用する方式を採用すると、装置が複雑となるため装置サイズが大きくなり、コストも高くなるといった問題がある。一方、スロットレバー方式、ねじ込み方式、セットピン方式など方式では、動力の使用がなく装置を簡素化でき、コストも安くなる。しかしながら、ボビン脱着のための工数が多くなり、作業効率が低下するといった問題があった。
【０００４】
例えば、特許文献１に示されているセットピン方式のボビン固定装置５０では、図６に示すように、回転軸５５にボビン１０のスプールコア部１１を挿入し、係止溝５５ｃが正面になるように回転軸５５を回転させて位置合わせを行い、ボビン抜け防止ピン５８を係止溝５５ｃに挿入する、という工程が必要となる。
【特許文献１】特開２００３−１８２９３５号公報
【発明の開示】
【発明が解決しようとする課題】
【０００５】
本発明は、上記事実に鑑みてなされたものであり、簡易な構成で、かつ、容易にボビンを固定することができるボビン固定装置を提供することを目的とする。
【課題を解決するための手段】
【０００６】
上記課題を解決するために、請求項１に記載のボビン固定装置は、ボビンが挿入される回転軸と、前記挿入されたボビンの挿入先端側に当接し前記ボビンの挿入方向の位置決めをする位置決め部材と、前記回転軸の外周面よりも外側へ突出した突出位置と、前記外周面よりも内側の内側位置と、の間を移動可能とされ、前記突出位置において前記ボビンの挿入後端側に当接されて前記ボビンの前記回転軸から抜け出す方向への移動を規制する可動部材と、を含んで構成されている。
【０００７】
本発明のボビン固定装置は、ボビンが挿入される回転軸を備えている。この回転軸に挿入されたボビンは、挿入先端側が位置決め部材に当接され、挿入方向の位置決めがなされる。また、回転軸に挿入されたボビンは、挿入後端側が可動部材に当接して回転軸から抜け出す方向への移動が規制される。この可動部材は、回転軸の外周面よりも外側へ突出した突出位置と、外周面よりも内側の内側位置との間を移動可能とされており、突出位置においてボビンの挿入後端側へ当接する。ボビンを挿入する際には、可動部材は回転軸の外周面よりも内側の内側位置に配置されている。
【０００８】
上記構成によれば、可動部材を内側位置に移動させることにより容易にボビンを回転軸へ挿入することができ、挿入後に可動部材を突出位置へ移動させることにより容易にボビンを回転軸に固定することができる。
【０００９】
なお、本発明のボビン固定装置は、請求項２に記載のように、前記回転軸の端部に取り付けられ、前記回転軸の軸方向に移動可能とされた解除部材と、前記可動部材と前記解除部材とを連結し、前記解除部材の前記軸方向の移動に連動させて前記可動部材を前記突出位置と前記内側位置との間で移動させる連結部材と、を備えたことを特徴とすることができる。
【００１０】
上記構成によれば、回転軸の端部に取り付けられた解除部材を回転軸の軸方向に沿って移動させることにより、可動部材を突出位置と内側位置との間で移動させることができる。
【００１１】
また、本発明のボビン固定装置は、請求項３に記載のように、前記可動部材は、前記位置決め部材側へ向かって前記外周面からより多く突出されるように傾斜がつけられていること、を特徴とすることができる。
【００１２】
上記構成によれば、ボビンの挿入時に、ボビンの挿入先端側で可動部材の傾斜部分を押すことにより、可動部材を容易に内側位置に移動させることができる。
【００１３】
また、本発明のボビン固定装置は、請求項４に記載のように、前記解除部材を前記回転軸から離れる方向に付勢すると共に前記可動部材を前記突出位置へ向かって付勢する付勢部材と、前記解除部材の前記回転軸から離れる方向への移動を規制する解除規制部材と、前記可動部材の前記突出位置よりも外側への移動を規制する突出規制部材と、含んで構成することができる。
【００１４】
上記構成では、付勢部材により解除部材が回転軸から離れる方向に付勢されるが、解除規制部材により同方向への移動が規制されるので、規制された位置に解除部材は配置される。また、可動部材も、付勢部材によって突出位置へ向かって付勢されるが、突出規制部材により突出位置よりも外側への移動が規制されるので、規制された位置に可動部材は配置される。
【発明の効果】
【００１５】
以上説明したように、本発明によれば、簡易な構成で、かつ、容易にボビンを固定することができる。
【発明を実施するための最良の形態】
【００１６】
以下、本発明の実施の形態について、図面に基づき説明する。図１に示すように、本実施形態のボビン固定装置２０は、基台２１、固定軸２２、回転軸２３、ボビン押さえ３０、を備えている。基台２１は、ボビン固定装置２０を撚線機等のボビン設置装置の固定台座４０に取付けるためのブロック状の部材である。固定軸２２は、基台２１の上に固定されている。回転軸２３は、固定軸２２の外側に固定軸２２とベアリング２４Ａ，２４Ｂを介して連結されるスプール状の回転軸である。この回転軸２３の下部には、上記回転軸２３の外周側から水平に突出して、ボビン１０の挿入方向Ｘの位置決めをする位置決め用部材２５が設けられている。位置決め用部材２５は、ボビン１０側に配置された位置決め板２５Ａ、位置決め板２５Ａを載置する鍔状の位置決め本体２５Ｂ、及び、位置決め本体２５Ｂの裏面側に設けられた突起部２５Ｃで構成されている。位置決め用部材２５は、突起部２５Ｃがボビン設置装置の回転台座４０に設けられた案内溝内４０Ｍ内に挿入されてセットされる。
【００１７】
ボビン押さえ３０は、取付部３１、解除ボタン３２、バネ部材３３、連結部３４、押さえ片３５、及び、押さえ本体３６を含んで構成されている。
【００１８】
図３に示すように、押さえ本体３６は、回転軸２３の軸方向からみて円形とされている。押さえ本体３６の下側には、図１に示すように、取付部３１が一体的に構成されており、取付部３１が回転軸２３の上部外周に螺合して、ボビン押さえ３０が回転軸２３に取り付けられる。
【００１９】
図２にも示すように、解除ボタン３２は、押さえ本体３６の中央部に形成されたボタン孔３６Ａに嵌め込まれている。ボタン孔３６Ａは、上部の径が下部よりも大きく構成されており、上部と下部との境目に段差３６Ｂが形成されている。解除ボタン３２は、上部３２Ａと下部３２Ｂから構成されており、上部３２Ａはボタン孔３６Ａの上部の径よりもわずかに小さい径とされ、下部３２Ｂはボタン孔３６Ａの上部よりも大きく下部よりもわずかに小さい径とされている。
【００２０】
解除ボタン３２には、下部３２Ｂ側に開口したバネ部材３３を挿入可能な空間３２Ｃが構成されている。伸縮可能なバネ部材３３は、空間３２Ｃに挿入され、解除ボタン３２を回転軸２３から離れるＹ方向へ付勢している。解除ボタン３２の下部３２Ｂは、段差３６ＢによりＹ方向への移動が規制される。解除ボタン３２の上部３２Ａは、段差３６Ｂに下部３２Ｂが当接された状態で、押さえ本体３６から上側に突出されている。
【００２１】
押さえ本体３６には、ボタン孔３６Ａの下部から径方向に向かって押さえ本体３６の外側へ貫通された、押さえ孔３６Ｃが３カ所に構成されている。押さえ孔３６Ｃを構成する上側の壁面の各々には、径方向に沿った案内溝３６Ｄが形成されている。各々の押さえ孔３６Ｃには、連結部３４、及び、可動部材としての押さえ片３５が配置されている。
【００２２】
連結部３４は、解除ボタン３２の下側に密着されている支持部材３４Ｂと、押さえ孔３６Ｃの外側に向かう方向に長尺のアーム３４Ａとで構成されている。アーム３４Ａの一端部は、支持部材３４Ｂの下部にピンＮ２で回動可能に取り付けられ、他端は、押さえ片３５にピンＮ１で回動可能に取り付けられている。
【００２３】
各々の押さえ片３５は、アーム３４Ａの外側に配置され、押さえ本体３６の案内溝３６Ｄに係合する係合部３５Ａを備えている。係合部３５Ａは案内溝３６Ｄに沿って移動可能とされている。押さえ片３５は、通常時には、先端部が回転軸２３の外周よりも外側へ突出されている（以下この位置を「突出位置Ｐ１」という）。押さえ片３５の突出部分には、下側（位置決め用部材２５側）へ向かって回転軸２３の外周からより多く突出されるように傾斜がつけられている。また、押さえ片３５の突出部分の下側は、ボビン１０の角部に沿った形状とされており、ボビン１０の上面に当接されてボビン１０のＹ方向への移動を規制する押さえ面３５Ｂと、ボビン１０の面取り部分に当接される規制面３５Ｃが構成されている。
【００２４】
次に、上記構成のボビン固定装置２０でのボビン１０の着脱方法について説明する。
【００２５】
ボビン１０を装着する際には、ボビン１０の中心孔へボビン押さえ３０を挿入する。すると、図４に示すように、回転軸２３の外側へ突出していた押さえ片３５は、傾斜部分がボビン１０に押されて内側へ移動する（以下この位置を「内側位置Ｐ２」という）。これにより、ボビン１０を位置決め用部材２５の配置された位置まで挿入することができる。押さえ片３５が内側位置Ｐ２へ移動される際には、係合部３５Ａが案内溝３６Ｄを内側へ移動し、アーム３４Ａは押さえ片３５側が内側へ、支持部材３４Ｂ側が下側へ移動し、これにより解除ボタン３２も下側へ移動する。
【００２６】
ボビン１０が位置決め用部材２５に当接されると、図２に示すように、バネ部材３３により解除ボタン３２と共に支持部材３４Ｂが上側へ移動し、アーム３４Ａの支持部材３４Ｂ側が上側へ移動すると共に、押さえ片３５側が外側へ向かって移動し、規制面３５Ｃがボビン１０に当接される位置まで外側に突出される。このとき、押さえ面３５Ｂは、ボビン１０の上面に当接され、ボビン１０が回転軸２３から抜け出す方向（Ｙ方向）の移動が規制される。
【００２７】
本実施形態のボビン固定装置２０によれば、ボビン１０にボビン押さえ３０を差し込む動作のみにより、容易に押さえ片３５でボビン１０の抜けを防止することができる。
【００２８】
ボビン１０を取り外す際には、解除ボタン３２を下側に押し込む。これにより、図５に示すように、支持部材３４Ｂが下側へ移動し、アーム３４Ａの支持部材３４Ｂ側が下側へ移動することにより、アーム３４Ａの押さえ片３５側が内側へ向かって移動し、押さえ片３５の係合部３５Ａも案内溝３６Ｄに沿って移動し、押さえ片３５が押さえ孔３６Ｃ内へ移動する。この状態で、ボビン１０を上側へ移動させて、ボビン１０をボビン固定装置２０から取り外す。解除ボタン３２の押圧を解除することにより、解除ボタン３２はバネ部材３３により上側へ押し上げられる。また、押さえ片３４５も前述のように、突出位置Ｐ１へ戻る。
【００２９】
本実施形態のボビン固定装置２０によれば、解除ボタン３２を押圧することにより、簡単にボビン１０を取り外すことができる。
【００３０】
なお、本実施形態では、解除ボタン３２の上下動に連動した動作により押さえ片３５を突出位置Ｐ１と内側位置Ｐ２との間で移動させる機構について説明したが、押さえ片３５の移動機構は、上記のものに限定されず、他のあらゆる機構を採用することができる。
【図面の簡単な説明】
【００３１】
【図１】本発明の実施形態に係るボビン固定装置の断面図である。
【図２】本発明の実施形態に係るボビン固定装置の一部の、ボビンが固定された状態における断面図である。
【図３】本発明の実施形態に係るボビン固定装置のボビンが固定された状態を示す上面図である。
【図４】本発明の実施形態に係るボビン固定装置の一部の、ボビン挿入時の状態を示す断面図である。
【図５】本発明の実施形態に係るボビン固定装置の一部の、ボビン取り外し時の状態を示す断面図である。
【図６】従来のボビン固定装置の断面図である。
【符号の説明】
【００３２】
２０   ボビン固定装置
２１   基台
２３   回転軸
２５   位置決め用部材
３２   解除ボタン
３３   バネ部材
３４Ａ アーム
３４Ｂ 支持部材
３４   連結部
３５   押さえ片
３５Ｂ 押さえ面
３５Ｃ 規制面
Ｐ１   突出位置
Ｐ２   内側位置
【図１】
2007112533.tif 000003
【図２】
2007112533.tif 000004
【図３】
2007112533.tif 000005
【図４】
2007112533.tif 000006
【図５】
2007112533.tif 000007
【図６】
2007112533.tif 000008